(57)【要約】【課題】医療行為に際しての機器への電力供給の状況を把握するのに有効な情報を提供することを可能とする。【解決手段】コンセントと電気機器の電源プラグとの間に配置される報告装置であって、前記電気機器への電力供給に関する供給情報を、前記供給情報に係わる情報を前記電気機器から取得せずに生成する生成手段と、前記電気機器への電力供給に関する供給情報を出力する出力手段を備える。【選択図】      図４
2011258562.tif 000002
【特許請求の範囲】
【請求項１】
コンセントと電気機器の電源プラグとの間に配置される報告装置であって、
前記電気機器への電力供給に関する供給情報を生成する生成手段と、
前記生成手段により生成された前記供給情報を出力する出力手段を具備した報告装置。
【請求項２】
前記電源プラグの２つの第１の電極を挿入する穴と、
前記穴に挿入された２つの第１の電極にそれぞれ接する２つの第２の電極とをさらに具備する請求項１に記載の報告装置。
【請求項３】
前記生成手段は、前記電気機器の定格電流を含む情報として前記供給情報を生成する請求項１または請求項２に記載の報告装置。
【請求項４】
前記電気機器に供給されている電流値を計測する計測手段をさらに備え、
前記生成手段は、前記計測手段により計測された電流値を含む情報として前記供給情報を生成する請求項１乃至請求項３のいずれか一項に記載の報告装置。
【請求項５】
前記出力手段は、前記供給情報に応じた赤外光を発生することにより前記供給情報を出力する請求項１乃至請求項４のいずれか一項に記載の報告装置。
【発明の詳細な説明】
【技術分野】
【０００１】
本発明は、手術などの医療行為に関する情報について記録するための報告装置に関する。
【背景技術】
【０００２】
手術中には様々な機器が手術室のコンセントに随時接続されて使用される。新しい機器の使用が開始される際に、総使用電力量が手術室の電源容量をオーバーし、ブレーカにより手術室への電力供給が遮断されてしまうおそれがある。
【０００３】
このような状況への対策として有効な技術として、特許文献１に開示された技術が知られている。特許文献１に開示された技術は、各機器の電力使用状況を監視し、各機器からの申告に基づき電流オーバーをあらかじめ警告し、あるいは、各機器の電力使用を制御して、ブレーカ遮断を回避するものである。
【０００４】
この技術を手術室での電力供給システムに備えることにより、手術室への電力供給が遮断されてしまうことは防止できる。しかしながら、新たに使用を開始しようとした機器が使用できない状況になってしまうことを防ぐことはできない。
【０００５】
本来は、このような状況が生じないように手術計画を策定するべきなのであるが、手術室の電源容量や個々の機器の電力使用量などを正しく考慮してまで手術計画を策定することは、実質的には困難である。そこで、過去の手術にて上記のような状況が発生した場合に、将来の同様な手術の計画を修正することにより対応することが現実的なのであるが、その原因を追究するためには、スタッフに状況を聴取するなど人間の記憶に頼るしかなく、はなはだ不正確である。
【０００６】
なお、手術中の患者生体情報、術者等の行動情報、術中画像および各種医療機器の動作情報のような医療情報を時系列的に記録する医療情報システムは知られている（例えば、特許文献２を参照）。
【０００７】
しかしながら、この特許文献２の技術においては、各機器の電源系統への接続状況や各機器における実際の電力使用状況などは記録されていない。このためこれらの状況は、映像などから間接的に推定するしかなかった。
【先行技術文献】
【特許文献】
【０００８】
【特許文献１】特開平１０−９４１９９号公報
【特許文献２】特開２００４−２８０４５５号公報
【発明の概要】
【発明が解決しようとする課題】
【０００９】
以上のように従来は、医療行為に際しての機器への電力供給の状況を適切に把握することができなかった。
【００１０】
本発明はこのような事情を考慮してなされたものであり、その目的とするところは、医療行為に際しての機器への電力供給の状況を把握するのに有効な情報を提供することを可能とすることにある。
【課題を解決するための手段】
【００１１】
以上の目的を達成するために本発明は、コンセントと電気機器の電源プラグとの間に配置される報告装置であって、前記電気機器への電力供給に関する供給情報を生成する生成手段と、前記生成手段により生成された前記供給情報を出力する出力手段とを備える。
【図面の簡単な説明】
【００１２】
【図１】本発明の一実施形態に係る医療情報システムの構成例を示す図。
【図２】図１中のコンセントユニット４および電源プラグ１０１ａ，１０２ａの外観の一例を示す図。
【図３】図２中の赤外線通信デバイス１１，４２の構成を示す図。
【図４】図１中の機器定格報告装置７の外観の一例を示す図。
【図５】図４中の機器定格報告装置７の内部回路および赤外線通信デバイス７２の構成を示す図。
【図６】図１中のセンタユニット９の構成を示す図。
【図７】図１中のセンタユニット９によって収集された各種の情報の記録装置１０での記録例を示す図。
【図８】記録した情報を閲覧させるために図１中の記録装置１０が表示する画面の一例を示す図。
【発明を実施するための形態】
【００１３】
以下、図面を参照して本発明の一実施形態について説明する。
【００１４】
図１は本実施形態に係る医療情報システムの構成例を示す図である。  
この医療情報システムは、手術室における手術に関わる医療情報を記録する。この例における手術を実施するためのツールとしては、ＢＩＳモニタ１０１、患者モニタ１０２、電気メス１０３、点滴ユニット１０４，１０５が使用される。これらのツールのうち、ＢＩＳモニタ１０１、患者モニタ１０２、電気メス１０３は、電源ライン3-1，3-2を介する電力供給を受けて動作する電気機器である。
【００１５】
一方、手術室内には、記録するべき医療情報を収集するための複数の収集機器１が配置される。収集機器１は、収集した医療情報を送信する。第１の実施形態では、１６個の収集機器１が配置される。以下において、これら１６個の収集機器１を区別する必要がある場合には、収集機器1-1，1-2…，1-16と記す。
【００１６】
収集機器1-1は、ＢＩＳモニタ１０１の電源を監視するセンサである。収集機器1-2は、患者モニタ１０２の電源を監視するセンサである。収集機器1-3，1-15，1-16は、手術室を広角に撮影するカメラである。収集機器1-4は、麻酔医の音声を入力するマイクロホンである。収集機器1-5は、執刀医の音声を入力するマイクロホンである。収集機器1-6は、患者の音声を入力するマイクロホンである。収集機器1-7は、術野を撮影するカメラである。収集機器1-8，1-9，1-14は、手術室内の音を入力するマイクロホンである。収集機器1-10は、電気メス１０３の電源を監視するセンサである。収集機器1-11は、術野を天井から俯瞰撮影するカメラである。収集機器1-12は、点滴ユニット１０４における生理食塩水の流量を検出するセンサである。収集機器1-13は、点滴ユニット１０５における薬液の流量を検出するセンサである。
【００１７】
これらの収集機器１は、識別装置２にそれぞれ接続される。従って第１の実施形態では、１６個の識別装置２が配置される。以下において、これら１６個の識別装置２を区別する必要がある場合には、識別装置2-1，2-2…，2-16と記す。そして識別装置2-1，2-2…，2-16はいずれも、手術室の別室に設置された記録装置１０に接続される。
【００１８】
識別装置２は、接続されている収集機器１から送信された医療情報を記録装置１０へ送る。識別装置２は、接続されている収集機器１の種類を表す識別情報を、記録装置１０へ通知する。また識別装置２は、記録装置１０から通知される医療情報の収集条件を記憶し、収集機器１へ通知する。
【００１９】
さて手術室には、複数のコンセントユニット４が設けられている。図１の例では、６つのコンセントユニット４が設けられている。以下において、これら６つのコンセントユニットを区別する必要がある場合には、コンセントユニット4-1，4-2，4-3，4-4，4-5，4-6と記す。これらのコンセントユニット４は、１つまたは複数のコンセントを備える。これらコンセントは、電源ライン3-1，3-2およびブレーカ5-1，5-2…，5-nを介してアイソレーショントランス６に接続されている。かくして、ＢＩＳモニタ１０１、患者モニタ１０２および電気メス１０３といった電気機器は、その電源プラグ１０１ａ，１０２ａ，１０３ａをコンセントユニット４に設けられたコンセントに挿入することにより、アイソレーショントランス６からの電力供給を受けることができる。
【００２０】
本実施形態で使用されているＢＩＳモニタ１０１および患者モニタ１０２は、機器定格報告部１０１ｂ，１０２ｂを内蔵している。機器定格報告部１０１ｂ，１０２ｂは、ＢＩＳモニタ１０１および患者モニタ１０２での電力使用に関する報告情報を、電源プラグ１０１ａ，１０２ａを介してコンセントユニット４へと出力する。報告情報には、電圧値、定格電流値および現使用電流値などを含む。また機器定格報告部１０１ｂ，１０２ｂは、各機器の制御部(図示せず)からの指示の下に、機器由来メッセージを、電源プラグ１０１ａ，１０２ａを介してコンセントユニット４へと出力する。機器由来メッセージは、電源投入申請および電源投入報告などを含む。
【００２１】
本実施形態で使用される電気メス１０３は、機器定格報告部を内蔵していない。そこで電気メス１０３の電源プラグ１０３ａは、機器定格報告装置７に挿入する。この上で機器定格報告装置７を、コンセントユニット4-2に設けられたコンセントに挿入する。機器定格報告装置７は、接続される電気機器に関する定格電流値を表す報告情報をコンセントユニット４へ出力する。
【００２２】
ブレーカ5-1，5-2…，5-nおよびアイソレーショントランス６は、分電盤に設けられている。分電盤には他に、センタユニット９が設けられている。センタユニット９は、通信路8-1，8-2を介してコンセントユニット４に接続されている。センタユニット９は、各種電気機器に関する報告情報や機器由来メッセージを、コンセントユニット４を介して収集する。センタユニット９は、収集した報告情報や機器由来メッセージから記録対象情報を得て、これを記録装置１０に送る。なお、通信路8-1，8-2としては、電源ライン3-1，3-2とは別の導線を用いて実現しても良いし、電源ライン3-1，3-2を用いた、いわゆる電灯線ＬＡＮにより実現しても良い。
【００２３】
記録装置１０は、収集機器１で収集された医療情報を識別装置２を介して受信し、この医療情報を識別装置２から通知される識別情報が表す収集機器の種類に関連付けて記録する。記録装置１０は、収集機器１で収集された医療情報を時系列的に記録する。記録装置１０は、センタユニット９から送られる記録対象情報を時系列的に記録する。記録装置１０は、記録した情報をユーザに対して提示する機能も備える。
【００２４】
図２はコンセントユニット４および電源プラグ１０１ａ，１０２ａの外観の一例を示す図である。  
コンセントユニット４は図２（ａ）に示すように、２つのコンセント４１、２１つの赤外線通信デバイス４２、警告灯４３および警告スピーカ４４を含む。
【００２５】
電源プラグ１０１ａ，１０２ａには、赤外線通信デバイス１１が設けられている。赤外線通信デバイス４２と赤外線通信デバイス１１とは、電源プラグ１０１ａ，１０２ａがコンセント４１に挿入された際に互いに対向するように配置されている。従って、電源プラグ１０１ａ，１０２ａがコンセント４１に挿入されると、赤外線通信が確立するようになっている。また、電源プラグ１０１ａ，１０２ａには、外部からの光が赤外線通信の障害になることを防止するための図２（ｃ）に示すような遮光材１２が、図２（ｄ）に示すような状態で備えられている。
【００２６】
警告灯４３は、センタユニット９からの指示に応じて点灯する。警告スピーカ４４は、センタユニット９からの指示に応じて鳴動する。
【００２７】
図３は赤外線通信デバイス１１，４２の構成を示す図である。  
赤外線通信デバイス１１は、発光器１１ａ、検出器１１ｂおよびドライバ回路１１ｃを含む。発光器１１ａは、ドライバ回路１１ｃから供給される信号に応じて赤外光を発生する。検出器１１ｂは、到来した赤外光を検出して、この赤外光に応じた電気信号を出力する。ドライバ回路１１ｃは、機器定格報告部１０１ｂ，１０２ｂから出力される信号を、発光器１１ａを適正な強度で発光させるレベルまで増幅する。またドライバ回路１１ｃは、検出器１１ｂが出力する信号を機器定格報告部１０１ｂ，１０２ｂで処理するのに適するレベルまで増幅する。
【００２８】
赤外線通信デバイス４２は、発光器４２ａ、検出器４２ｂ、ドライバ回路４２ｃおよび通信回路４２ｄを含む。発光器４２ａは、ドライバ回路４２ｃから供給される信号に応じて赤外光を発生する。検出器４２ｂは、到来した赤外光を検出して、この赤外光に応じた電気信号を出力する。ドライバ回路４２ｃは、通信回路４２ｄから出力される信号を、発光器４２ａを適正な強度で発光させるレベルまで増幅する。またドライバ回路４２ｃは、検出器４２ｂが出力する信号を通信回路４２ｄで処理するのに適するレベルまで増幅する。通信回路４２ｄは、電気機器側からの送信を中継する回路であり、電気機器からの送信内容に、コンセント４１を特定するＩＤを接続コンセントＩＤとして付加する。なお、この接続コンセントＩＤに代えて、このコンセント４１が接続されるブレーカ５のＩＤを付加しても良い。
【００２９】
図４は機器定格報告装置７の外観の一例を示す図である。  
機器定格報告装置７の表側面には、図４（ｂ）に示すように電極を挿入する穴が設けられていて、図４（ａ）に示すように電源プラグ１０３ａを挿入できる。機器定格報告装置７の裏側面には、図４（ａ）に示すように電源プラグ１０３ａの電極にそれぞれ対応する電極が配置されていて、電源プラグ１０３ａが挿入された場合に、対応する電極どうしが導通状態となる。
【００３０】
機器定格報告装置７の表面側には、定格電流設定つまみ７１が設けられている。この定格電流設定つまみ７１は、ユーザが任意に回転させることができる。機器定格報告装置７の裏面側には、赤外線通信デバイス７２が設けられている。赤外線通信デバイス７２は、機器定格報告装置７がコンセント４１に挿入された際に赤外線通信デバイス４２と対向するように配置されている。従って、機器定格報告装置７がコンセント４１に挿入されると、赤外線通信が確立するようになっている。また、機器定格報告装置７には、外部からの光が赤外線通信の障害になることを防止するための図２（ｃ）に示すような遮光材１２が、図２（ｄ）に示すのと同様な状態で備えられている。
【００３１】
図５は機器定格報告装置７の内部回路および赤外線通信デバイス７２の構成を示す図である。  
機器定格報告装置７は、定格電流設定つまみ７１および赤外線通信デバイス７２のほかに、報告情報送信部７３を含む。報告情報送信部７３は、機器定格報告装置７を介して電気機器に供給されている電流値を計測する。報告情報送信部７３は、上記の計測した電流値（現使用電流値）および定格電流設定つまみ７１の向きに応じた定格電流を表す報告情報を出力する。
【００３２】
赤外線通信デバイス７２は、発光器７２ａ、検出器７２ｂおよびドライバ回路７２ｃを含む。発光器７２ａは、ドライバ回路７２ｃから供給される信号に応じて赤外光を発生する。検出器７２ｂは、到来した赤外光を検出して、この赤外光に応じた電気信号を出力する。ドライバ回路７２ｃは、報告情報送信部７３から出力される信号を、発光器７２ａを適正な強度で発光させるレベルまで増幅する。またドライバ回路７２ｃは、検出器７２ｂが出力する信号を報告情報送信部７３で処理するのに適するレベルまで増幅する。
【００３３】
図６はセンタユニット９の構成を示す図である。なお図６は、１つのコンセントユニット４とセンタユニット９との関係のみを示している。  
図６に示すようにセンタユニット９は、集計部９１、警告部９２および制御部９３を含む。集計部９１は、通信路8-1，8-2を介して各コンセントユニット４から報告情報（電圧値、定格電流値、現使用電流値および接続コンセントＩＤ）を収集する。集計部９１は、収集した情報のうちの定格電流値および現使用電流値は、そのまま記録装置１０へ送る。また集計部９１は、収集した接続コンセントＩＤおよび定格電流値と、各コンセントユニット４とブレーカ5-1，5-2…，5-nとの接続関係とに基づいて、ブレーカ5-1，5-2…，5-n毎の合計定格電流値を計算する。集計部９１は、計算した合計定格電流値を集計値として警告部９２、制御部９３および記録装置１０へ送る。さらに集計部９１は、ブレーカ5-1，5-2…，5-nの状態を監視し、記録装置１０へ通知する。
【００３４】
警告部９２は、機器由来メッセージおよび集計値に基づいて、ブレーカ5-1，5-2…，5-n毎の合計定格電流値が各ブレーカの容量を超えているか否かを監視する。合計定格電流値が容量を超えているブレーカが存在するとき、警告部９２はコンセントユニット４に警告メッセージを送り、警告灯４３の点灯および警告スピーカ４４の鳴動により警告を発する。なお警告スピーカ４４の鳴動は、例えば「ピー：ブレーカ１に接続された機器の定格電流値の合計がブレーカ容量を超えています。」といった音声メッセージを出力するように行わせることが考えられる。警告部９２は、記録装置１０にも警告メッセージを送る。
【００３５】
制御部９３は、機器由来メッセージおよび集計値に基づいて、電源投入許可などの制御メッセージを発生し、これをコンセントユニット４を介して各機器に送るとともに、記録装置１０に送る。
【００３６】
なおセンタユニット９は、機器由来メッセージも記録装置１０に送る。そしてセンタユニット９は、各種の情報を記録装置１０に送る際に、その発生時刻も記録装置１０に送る。
【００３７】
記録装置１０は、センタユニット９から送られた各種の情報を、その発生時刻に関連付けて時系列的に記録する。
【００３８】
図７はセンタユニット９によって収集された各種の情報の記録装置１０での記録例を示す図である。なおこの図７は、図１に示すのとは異なる手術状態に関して収集された情報の記録例を示している。
【００３９】
この例では、「電気メスＡ」を9:30:01に「コンセント１」に接続した段階で、「ブレーカ１」への接続機器の定格電流値の合計が「ブレーカ１」の容量をオーバーしている旨の警告が発せられ、さらに、Ｘ線透視装置の電源を投入しようとしたところ、電流オーバーが予測され電源投入申請が拒否されているにも拘わらずに、それを無視してＸ線透視装置の電源が投入されてＸ線透視装置の機構部が動作された結果、「ブレーカ１」が遮断されたことが記録されている。このように、記録装置１０で記録される図７に示す情報は、いずれも電力供給に関する供給情報である。
【００４０】
なお記録装置１０は、収集機器１で収集された医療情報を、この医療情報を識別装置２から通知される識別情報が表す収集機器の種類に関連付けて記録している。
【００４１】
記録装置１０は、上記のような状況をユーザが確認できるように、記録した情報を発生時刻を合わせて閲覧させる。
【００４２】
図８は記録した情報を閲覧させるために記録装置１０が表示する画面の一例を示す図である。  
図８に示す画面の左側には、10:53:50時点での電源使用状況を整理して表示している。図８に示す画面の右側には、同時刻の手術室映像を表示している。
【００４３】
以上のように本実施形態によれば、手術に際して使用される各種の電気機器への電力供給に関する情報が収集されて時系列的に記録される。従って、このように記録された情報に基づけば、電力供給に関する不具合の発生状況を、事後に容易に確認することができる。そして将来の手術計画の設定時や手術の実施時に、過去に発生した不具合を考慮して適切な処置を行うことが可能となる。
【００４４】
また本実施形態によれば、電気機器または機器定格報告装置７から出力される報告情報にコンセントユニット４において接続コンセントＩＤを付加するので、電気機器または機器定格報告装置７は、どのブレーカ5-1，5-2…，5-nのいずれに接続されているかを識別する必要がない。
【００４５】
また本実施形態によれば、機器定格報告装置７を用いることにより、報告情報を出力する機能を有していない電気機器に関する電力供給の監視を容易に行うことができる。
【００４６】
また本実施形態によれば、電源プラグまたは機器定格報告装置７と、コンセントユニット４とに赤外線通信デバイス１１，４２，７２を備えているので、電源プラグまたは機器定格報告装置７をコンセントユニット４に挿入するだけで電気機器とセンタユニット９との通信を行うことが可能となる。従って、電力供給の記録のための配線作業を医療スタッフが行う必要がなく、便利である。
【００４７】
この実施形態は、次のような種々の変形実施が可能である。  
図７に示すような情報の一部を収集・記録の対象外とすることも可能である。逆に、図７に示されるのとことなる情報を収集・記録の対象として加えることも可能である。  
電気機器から報告情報を取得するための通信手段は、電気接点の接触によるものや、電波などの赤外線以外の媒体によるものに変更が可能である。
【００４８】
接続コンセントＩＤの付加は、センタユニット９内や、別の中継装置で行うことも可能である。
【００４９】
報告情報の伝送には、電灯線通信を利用することも可能である。この場合、赤外線通信デバイス１１，４２，７２は不要である。またドライバ回路１１ｃ，４２ｃ，７２ｃに代えて、報告情報を伝送するための信号を電力線へ混合するための混合器および上記震央を電力線から分離するための分離器を備える。
【００５０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００５１】
3-1，3-2…電源ライン、４（4-1〜4-6）…コンセントユニット、５（5-1〜5-n）…ブレーカ、６…アイソレーショントランス、７…機器定格報告装置、8-1，8-2…通信路、９…センタユニット、１０…記録装置、１１，４２，７２…赤外線通信デバイス、４１…コンセント、４３…警告灯、４４…警告スピーカ、７３…報告情報送信部、９１…集計部、９２…警告部、９３…制御部、１０１…ＢＩＳモニタ、１０２…患者モニタ、１０３…電気メス、１０１ｂ，１０２ｂ…機器定格報告部、１０１ａ，１０２ａ，１０３ａ…電源プラグ。
【図１】
2011258562.tif 000003
【図２】
2011258562.tif 000004
【図３】
2011258562.tif 000005
【図４】
2011258562.tif 000006
【図５】
2011258562.tif 000007
【図６】
2011258562.tif 000008
【図７】
2011258562.tif 000009
【図８】
2011258562.tif 000010